(57)【要約】【課題】容器の蓋を提供すること。【解決手段】蓋は、蓋の上側表面から外方へ延びかつ上面を有する外壁により少なくとも部分的に画定された第１開口と、外壁により少なくとも部分的に画定された第２開口と、第１開口と第２開口とを分離して第１開口と第２開口とを少なくとも部分的に画定しかつ上面を有する共通壁と、第２開口と連通する導管とを含み、第１開口は蓋が容器に取り付けられると容器の上側部分に第１流体経路を提供するようサイズ決めかつ構成され、第２開口および導管は蓋が容器に取り付けられると容器の下側部分に第２流体経路を提供するようサイズ決めかつ構成され、第１開口を囲む外壁の上面の一部は第２開口を囲む外壁の上面の一部または共通壁の上面の一部の少なくとも一方と連続し、第１開口を囲む外壁の上面の一部は蓋の上側表面から共通の高さにおいて第２開口を囲む外壁の上面の一部または共通壁の上面の一部の少なくとも一方と合流する。【選択図】図１
2019163088.tif 000002
【特許請求の範囲】
【請求項１】
容器に取り付けられるようにサイズ決めされかつ構成された蓋であって、前記蓋が、
前記蓋の第１開口であって、該蓋の上側表面から外方へ延びかつ上面を有する外壁によって少なくとも部分的に画定された第１開口と、
前記蓋の第２開口であって、前記外壁によって少なくとも部分的に画定された第２開口と、
前記第１開口と第２開口とを分離する共通壁であって、前記第１開口および第２開口を少なくとも部分的に画定し、かつ、上面を有する共通壁と、
前記第２開口と連通する導管と
を含み、
前記第１開口は、前記蓋が容器に取り付けられると容器の上側部分に第１流体経路を提供するようにサイズ決めされかつ構成されており、
前記第２開口および導管は、前記蓋が容器に取り付けられると容器の下側部分に第２流体経路を提供するようにサイズ決めされかつ構成されており、
前記第１開口を囲む前記外壁の上面の一部は、前記第２開口を囲む前記外壁の上面の一部または前記共通壁の上面の一部の少なくとも一方と連続しており、
前記第１開口を囲む前記外壁の上面の一部は、前記蓋の上側表面から共通の高さにおいて、前記第２開口を囲む前記外壁の上面の一部または前記共通壁の上面の一部の少なくとも一方と合流する、蓋。
【請求項２】
前記第１開口および第２開口が注ぎ口の中に配置され、前記注ぎ口が第１の壁および第２の壁によって少なくとも部分的に画定される、請求項１に記載の蓋。
【請求項３】
前記第１流体経路が容器から流体を注ぐことができるようにサイズ決めされかつ構成されており、
前記第２流体経路が、前記導管および第２開口から流体を吸い込むことができるようにサイズ決めされかつ構成されている、請求項１に記載の蓋。
【請求項４】
前記第１開口の後部における該第１開口の最も上側の部分が、前記共通の高さよりも前記蓋の上側表面からより低い位置にあり、
前記第２開口の前部における該第２開口の最も上側の部分が、前記共通の高さよりも前記蓋の上側表面からより高い位置にある、請求項１に記載の蓋。
【請求項５】
前記第１開口の上側部分の中心部分が前記蓋から第１の距離だけ離間しており、
前記第２開口の上側部分の中心部分が前記蓋から第２の距離だけ離間しており、
前記第２の距離が前記第１の距離よりも大きい、請求項１に記載の蓋。
【請求項６】
前記第１開口が略円形の断面構造を有しており、
前記第２開口が略弧状の断面構造を有しており、
前記共通壁が、前記第１開口の一部を前記第２開口の弧状の部分に少なくとも部分的に入れ子式に配置することを可能にする、請求項１に記載の蓋。
【請求項７】
前記蓋が容器に接続され、かつ、容器に流体が満たされているときに、容器を逆さにすると流体を前記第１開口から注ぐことができ、
容器を略直立した状態にすると、前記導管および第２開口から流体を吸い込むことができる、請求項１に記載の蓋。
【請求項８】
前記共通壁および第２開口の前側部分が、前記第１開口に対して略垂直に配置される軸に対して約１０°〜約２０°の角度で配置される、請求項１に記載の蓋。
【請求項９】
前記第２の壁に下唇受止部分をさらに有し、前記下唇受止部分が、前記蓋の第２開口を通って流れる流体を消費する人の下唇を受け止めるようにサイズ決めされかつ構成されており、
前記第１の壁の上側部分に上唇受止部分をさらに有し、前記上唇受止部分が、前記蓋の第２開口を通って流れる流体を消費する使用者の上唇を受け止めるようにサイズ決めされかつ構成されている、請求項２に記載の蓋。
【請求項１０】
容器に取り付けられるようにサイズ決めされかつ構成された蓋であって、容器が流体で満たされるようにサイズ決めされかつ構成されており、前記蓋が、
本体と、
前記本体の上側表面から延在する注ぎ口であって、上面を有する外壁によって少なくとも部分的に画定された注ぎ口と、
前記注ぎ口の中に配置され、かつ、容器の第１部分に配置された流体に対して第１流体経路を提供する第１開口と、
前記注ぎ口の中に配置された第２開口であって、
前記外壁が、前記第１開口および第２開口を囲む該外壁の上面に対して垂直に延在し、かつ、
前記第１開口を囲む前記外壁の上面の一部が前記第２開口に向かって上方に傾斜する、第２開口と、
前記第２開口に連結され、かつ、該第２開口から容器の第２部分まで延在する導管であって、導管および前記第２開口が容器の第２部分に配置された流体に対して第２流体経路を提供する、導管と
を含む、蓋。
【請求項１１】
前記第１開口を囲み、かつ、前記第２開口に向かって上方に傾斜する前記外壁の上面の一部が、前記第２開口を囲む前記外壁の上面の一部と連続しており、前記第２開口を囲む前記外壁の上面の一部が、前記第１開口を囲む前記外壁の上面の一部と、前記本体から共通の高さで合流する、請求項１０に記載の蓋。
【請求項１２】
前記外壁の上面が、前記第２開口に向かって上方に傾斜する前に、前記第１開口の後部からその後部と該第１開口の前部との間の位置まで下方に傾斜する、請求項１０に記載の蓋。
【請求項１３】
前記第１開口を囲む前記外壁の上面の一部が、前記第２開口を囲む前記外壁の上面の一部と連続しており、前記第２開口を囲む前記外壁の上面の一部が、前記第１開口を囲む前記外壁の上面の一部と、前記本体から共通の高さで合流する、請求項１０に記載の蓋。
【請求項１４】
装置であって、
本体と、
前記本体に選択的に取り付けられる容器と、
前記本体から外方に延在し、かつ、上面を有する外壁と、
前記本体内の第１開口であって、前記外壁によって少なくとも部分的に画定され、かつ、前記本体を通る第１経路を提供する第１開口と、
前記本体内の第２開口であって、前記外壁によって少なくとも部分的に画定され、かつ、前記本体を通る第２経路を提供する第２開口と、
前記第１開口と前記第２開口とを分離する共通壁であって、前記第１開口および第２開口を少なくとも部分的に画定する共通壁と、
前記第２開口に連結されて前記第２経路から前記容器まで延在する導管と
を含み、
前記外壁が、前記第１開口および第２開口を囲む前記上面まで外方に延在し、かつ、
前記第１開口を囲む前記外壁の上面の一部が前記第２開口に向かって上方に延在する、装置。
【請求項１５】
前記第１開口の前部における該第１開口の最も上側の部分および前記第２開口の後部における該第２開口の最も上側の部分が、前記本体から共通の高さにある、請求項１４に記載の装置。
【請求項１６】
前記第１開口を囲む前記外壁の上面の一部が、前記第２開口を囲む前記外壁の上面の一部または前記共通壁の上面の一部のうちの少なくとも一方と連続しており、
前記第１開口を囲む前記外壁の上面の一部が、前記本体から共通の高さにおいて、前記第２開口を囲む前記外壁の上面の一部または前記共通壁の上面の一部のうちの少なくとも一方と合流する、請求項１４に記載の装置。
【請求項１７】
前記第１開口の後部における該第１開口の最も上側の部分が、前記共通の高さよりも低い位置にある、請求項１５に記載の装置。
【請求項１８】
前記第２開口の前部における該第２開口の最も上側の部分が、前記共通の高さよりも高い位置にある、請求項１５に記載の装置。
【請求項１９】
前記第１開口を囲む前記外壁の上面の一部が、少なくとも前記共通の高さまで上方に延びる、請求項１５に記載の装置。
【請求項２０】
前記第１開口を囲む前記外壁の上面の一部が、少なくとも前記共通壁の上面の一部および前記第２開口を囲む前記外壁の最も低い位置まで上方に延びる、請求項１５に記載の装置。
【請求項２１】
装置であって、
蓋と、
前記蓋に選択的に取り付けられる容器と、
前記蓋から外方に延在する注ぎ口であって、上面を有する外壁によって少なくとも部分的に画定される注ぎ口と、
前記注ぎ口の中に配置された第１開口であって、前記容器に第１経路を提供する第１開口と、
前記注ぎ口の中に配置された第２開口と、
前記第１開口と前記第２開口とを分離する共通壁であって、前記第１開口および第２開口を少なくとも部分的に画定し、かつ、上面を有する共通壁と、
前記第２開口に連結された導管であって、導管および前記第２開口が前記容器に第２経路を提供する、導管と
を含み、
前記第１開口を囲む前記外壁の上面の一部が、前記第２開口を囲む前記外壁の上面の一部または前記共通壁の上面の一部の少なくとも一方と連続しており、
前記第１開口を囲む前記外壁の上面の一部が、前記第２開口を囲む前記外壁の上面の一部または前記共通壁の上面の一部の少なくとも一方と、共通の高さで合流し、
前記第１開口を囲む前記外壁の上面の一部が、前記第２開口に向かって上方に傾斜する、装置。
【請求項２２】
前記第１開口の後部における該第１開口の最も上側の部分が、前記共通の高さよりも前記蓋の上側表面から低い位置にある、請求項２１に記載の装置。
【請求項２３】
前記第１経路が前記容器の上側部分に配置された流体に経路を提供し、前記第２経路が前記容器の下側部分に配置された流体に経路を提供する、請求項２１に記載の装置。
【請求項２４】
前記第２開口の前部における該第２開口の最も上側の部分が、前記共通の高さよりも前記蓋の上側表面から高い位置にある、請求項２１に記載の装置。
【請求項２５】
前記第１開口を囲む前記外壁の少なくとも一部が、少なくとも前記共通の高さまで上方に延びる、請求項２１に記載の装置。
【請求項２６】
前記第１開口を囲む前記外壁の少なくとも一部が、少なくとも前記共通壁の上面および前記第２開口を囲む前記外壁の最も低い位置まで上方に延びる、請求項２１に記載の装置。
【発明の詳細な説明】
【技術分野】
【０００１】
本発明は概して蓋に関し、詳細には容器の蓋に関する。
【背景技術】
【０００２】
従来の容器は幅広い種類の液体および流体を保持することができる。例えば、よく知られている容器は、水、風味付けされた水、ジュース、エネルギー飲料、プロテイン強化飲料、シェイク、食品、および液状食事代替物などの様々な飲み物および飲料を保持することができる。
【０００３】
これらの種類の容器は、家、事務所、ジム、またはヘルスクラブで、および移動中など、多様な環境で使用される。知られている飲料容器はまた、エクササイズまたは自動車、バス、列車、もしくは飛行機に乗るなどの活動の間または後に使用される。コーヒーマグなどの従来の飲料容器は、内容物を簡単にこぼす恐れがあり、重いことが多く、簡単に持ち運びできず、落とした場合に壊れやすいため、一般にエクササイズまたは移動中に飲料を飲むのに適していない。また従来の飲料容器は一般に、限定された領域の外での使用に適していない。なぜなら、それらは相対的に持ち運びまたは運搬に不都合であり、内容物がこぼれ易いためである。
【０００４】
知られている飲料容器は、エクササイズまたは移動中の使用に適した蓋を含む。消費者は、エクササイズまたは移動の前、間または後に内容物を消費できるように、エクササイズまたは移動の前にそのような容器を満たすことが多い。これらの種類の飲料容器は、飲料を保持するための容器本体と、内容物がこぼれることを防止する蓋とを含む。
【０００５】
いくつかの知られている飲料容器は、内容物がこぼれることを防止するために飲用アパーチャ上に小型カバーを含む。小型カバーは典型的に、使用者が飲み物を飲もうとするときに、使用者の手によって手動で開放される。例えば、使用者はカバーを開放位置へスライドする。これらの容器の多くは、飲料がこぼれることを防止するために、カバーと飲用アパーチャとの間に水密または気密シールを含む。これらの容器は、カバーが開放または閉鎖されるたびに水密または気密シールを形成するまたは破る必要があるため、カバーを開閉するのにかなりの労力を必要とすることが多い。このような容器のいくつかは、特に容器が満杯の場合、カバーが開放されているときに飲料の一部がこぼれ易いため望ましくない。加えて、カバーは突然および急に開放されることがあるため、これは内容物の一部がこぼれる原因となる。さらに、これらの飲料容器は、カバーを開閉するのに比較的大きい力を必要とするため、一部の消費者にとって使い難いことがある。従って、消費者にとってカバーを開放するのにかなり困難を要することがある。さらに、これらの容器のカバーによっては、確実に閉鎖することが難しい場合があり、そのために内容物がこぼれるまたは漏れることになってしまう。
【０００６】
知られている飲料容器はまた、開放位置と閉鎖位置との間で回転するカバーを使用する場合がある。不都合なことに、カバーは所望の位置に開放、閉鎖および／または回転するのが難しい場合がある。従来の飲料容器はまた、カバーを開放して飲料を飲むために押さなければならないボタンまたはレバーを含む。いくつかの飲料容器は、容器から飲むために、望ましくない方法でボタンを連続的に押す必要があり、これは使用者にとって厄介でありまた快適でないことが多い。
【０００７】
従来の飲料容器はまた、回転注ぎ口および取外し可能な蓋を含むが、これらの種類の装置は、特に器用さに欠ける使用者にとって、開閉が難しいことが多い。特に、一部の使用
者にとって、注ぎ口を掴むことが難しいため、注ぎ口を閉鎖位置から開放位置へ回転することが難題であったり、またはほとんど不可能であったりする。注ぎ口を開放位置へ移動するために必要とされる力を適用することが、多くの使用者にとってまた問題となることがある。さらに使用者は、自分の手が汚れているまたは洗っていない場合に、自分の指で注ぎ口に触ることを望まないことがある。容器の内容物へのアクセスを許容するために蓋を取り外すことが、一部の使用者にとって同じく困難である。さらに、飲む前に蓋を何度も取り外すことは面倒であり、これは、エクササイズ中、移動中、スポーツイベントの間、または急速もしくは迅速な飲料摂取が望まれるとき、液体が消費されることを妨げる可能性がある。
【０００８】
加えて、知られている飲料容器は、開口が望ましいサイズでない場合があるため、使用が困難または不便なことがある。例えば、いくつかの従来の容器の開口は、環境によって十分な流体流を許容しない場合がある。他方、いくつかの従来の容器の開口は、多すぎる流体流を許容する場合があり、これは容器から飲むことをぎこちなくする可能性がある。
【０００９】
さらに、従来の飲料容器は、特定の目的のためにのみ使用されるため、実用性に欠けることがある。いくつかの従来の飲料容器はまた、１つまたは複数の構成要素の形状、部品数、および複雑な構造のために、清掃または再利用が難しい場合がある。
【発明の概要】
【発明が解決しようとする課題】
【００１０】
従って、上に記載した欠点および問題点を排除するシステムまたは方法に対する必要性が存在する。
【課題を解決するための手段】
【００１１】
１つの態様は、液体、飲料、飲み物等を保持または含有する容器である。容器はシェイカーカップであってもよく、その内容物は必要に応じて撹拌、混合および／またはブレンドすることができる。これは容器内でプロテイン飲料、シェイク、スムージ、ソース等を作成および／または貯蔵することを可能にする。容器はまた水筒であってもよく、その中の水、および風味付けされた水、ジュース、ビタミン強化飲料、エネルギー飲料、喉の渇きを癒す飲み物等などの他の種類の流体を、運搬および／または消費することができる。加えて、容器はビタミン、サプリメント、プロテイン粉末等を含むことができる混合物および溶液を保持することができる。さらに、容器は、果物、野菜、スープ、ドレッシング等などの食品を含む様々な粉末、固体および／または他の種類の物質を保持することができる。必要に応じて、容器は内容物を所望の温度に維持するために断熱されてもよい。
【００１２】
別の態様は、容器から好ましくは簡単に着脱される蓋である。詳細には蓋はねじ接続またはねじ込み式接続によって容器に選択的に取り付けられ、ねじ接続またはねじ込み式接続は、蓋が単純な方法で容器に迅速に固定されることを可能にする。蓋はまた、液密または水密シールとともに容器に取り付けられ、液密または水密シールは内容物が漏れるまたはこぼれることを防止する。蓋は、容器を簡単に充填、清掃および洗浄することを可能にする比較的大きい開口を覆う。蓋は、容器に好ましくは選択的に取り付けられる一方で、容器に永久的に取り付けることができる。
【００１３】
さらに別の態様は、１つまたは複数の開口を含む蓋と、流体流が開口の１つまたは複数を通って流れることを許容または阻止するクロージャとである。例えば、クロージャは外側に延在するレバーまたはハンドルを含み、使用者がレバーに力を適用すると、クロージャは比較的わずかな労力で開放または閉鎖される。具体的にはレバーは、クロージャを開放または閉鎖するために比較的少ない力が必要とされるように機械的有利性を提供する。有利には、レバーの一方側の力がクロージャを開放し、レバーの他方側の力がクロージャ
を閉鎖する。従ってクロージャは使用および操作が簡単かつ単純である。
【００１４】
さらに別の態様は、１つまたは複数の注ぎ口と１つまたは複数の開口とを含む蓋である。必要に応じて、１つまたは複数の開口は、注ぎ口の中に配置されてもよい。例えば、蓋は注ぎ口を含み、流体は注ぎ口の中の開口を介して簡単に注がれるか、または分配される。蓋はまた、使用者が容器から飲むことを可能にする開口を含む。必要に応じて、ストローまたは他の種類の導管が、容器から飲むことを容易にするために使用される。例えば、ストローは開口に接続または挿入され、使用者はストローを介して飲むことができる。これらの異なる種類の開口は互いに隣接してまたは近くに配置され、このような開口は注ぎ口の中に配置される。
【００１５】
有利には、２つの異なる種類の開口が含まれ、１つの開口は内容物を容器から簡単に注ぐまたは分配することを可能にし、別の開口は使用者が容器から飲むことを可能にする。この二重の開口は増大された用途および／または柔軟性を提供する。なぜなら、異なる開口が異なるサイズ、形状、構造および／または構成を有し、これにより開口を異なる目的で使用することが可能になるためである。蓋は２つの開口を含むように以下で記載されるが、本開示を検討した後、蓋は１つまたは複数を含むいずれの適切な数の開口を含んでもよいことが認識されるであろう。本開示を検討した後、開口は例えば容器の意図される用途に依存して様々な形状、サイズ、構造および構成を有することができることも同じく認識されるであろう。さらに、開口は同様のまたは異なる目的で使用可能であり、複数の開口は容器の潜在的な用途および機能性を増大し得ることが認識されるであろう。
【００１６】
さらに別の態様は、第１開口および第２開口を含む容器の蓋であり、これらの開口は異なるサイズおよび／または目的を有する。例えば、一方の開口は使用者が容器から注ぐことを可能にするようにサイズ決めされかつ構成され、他方の開口は使用者が容器から飲むことを可能にするようにサイズ決めされかつ構成される。より詳細には、蓋は第１のサイズを有する１つの開口と、第２のサイズを有する別の開口とを含む。開口の異なるサイズは異なる速度で流体が開口を通って流れることを可能にする。例えば、一方の開口は比較的大量の流体が開口を通過することを可能にし、他方の開口は少量の流体が開口を通過することを可能にする。例えば、一方の開口は、他方の開口の２、３、４、５、６倍またはそれを超えるサイズである。異なるサイズは異なる目的で開口が使用されることを可能にする。例えば、流体のより多くの量または流量が望まれるときには大きい方の開口が使用され、流体のより少ない量または流量が望まれるときには小さい方の開口が使用される。これは例えば、大きい方の開口を介して流体が注がれ、小さい方の開口を介して流体がすすられることを可能にする。
【００１７】
１つの例示的実施形態において、蓋は、もう１つの別の開口よりも大きい１つの開口を含み、それら開口は異なる構造を有する。例えば、大きい方の開口は、注ぎ口の一部を形成し、および大量の流体流を許容する。小さい方の開口は使用者が開口からすすることを可能にし、および少量の流量を許容する。必要に応じて、ストローが小さい方の開口に接続されるか、または挿入される。開口は円形、楕円形、円、長円形、曲線、半円形、円弧、長方形、正方形、多角形等などの多数の形状を有する。加えて、開口は、大きい方の開口がほぼ円形の構造を有し、小さい方の開口が長円形、円弧、曲線または三日月状の構造を有するなど、異なる形状を有することができる。
【００１８】
さらなる態様は、少なくとも２つの開口を含む容器の蓋であり、それら開口は互いに隣接してまたは近くに配置される。従って、１つの開口は別の開口の隣に配置される。必要に応じて、１つの開口は別の開口内に少なくとも部分的に配置される。例えば、１つの開口は別の開口によって少なくとも部分的に取り囲まれる、境界を定められる、包囲される、または囲まれる。隣接する開口は、パーテーション、壁または部材によって別の開口か
ら分離される。例えば、１つの開口は外壁を含み、外壁の一部は隣接する開口の少なくとも一部を形成する。従って、開口は共通の壁を共有する。開口は、互いに隣接してまたは近くに配置される一方で、離間される。有利には、異なる開口は異なる流体経路を提供する。例えば、一方の開口は使用者が容器から流体を注ぐことを可能にする流体経路を形成し、他方の開口は使用者がストローなどを介して容器からすすることを可能にする流体経路を形成する。有意に、異なる経路は異なる流体流量を許容する。詳細には１つの流量は第２の流量よりはるかに多い場合がある。
【００１９】
別のさらなる態様は、第１開口またはアパーチャと第２開口またはアパーチャとを有する注ぎ口を含む容器の蓋である。例えば、注ぎ口はほぼ円形、楕円形または長尺状の外側構造を有し、２つの開口は注ぎ口の中に配置される。第１開口はほぼ円形の構造を有し、第２開口はほぼ曲線または円弧状の構造を有する。第１開口は第２開口に少なくとも隣接し、これら開口はパーテーションまたは壁によって分離され、パーテーションまたは壁は第１および／または第２開口の一部を画定する。第１および第２開口は容器内への分離した経路を提供する。例えば、第１開口は容器内への第１経路を提供し、第２開口は容器内への第２経路を提供する。詳細には、第１開口は容器への直接の開口を提供し、第２開口はストローを含むか、またはストローに選択的に接続され、ストローは容器への第２経路を提供する。異なる経路は容器の異なる部分と連通する。１つの例では、第１経路は容器の第１部分と連通し、第２経路は容器の第２部分と連通する。経路は容器のいずれかの所望の部分と連通できることが認識されるであろう。異なる経路は必要とされず、開口が容器のいずれかの所望の部分と連通できることも認識されるであろう。
【００２０】
別のさらなる態様は、多数の開口を含む蓋であり、ストローが開口の１つまたは複数に選択的または永久的に結合される。例えば、ストローは小さい方の開口などの開口に結合され、使用者はストローを介して飲む。有意に、これは使用者がストローを使用して容器から飲むことを可能にし、および他方の開口は、内容物を容器から簡単に注ぐまたは分配することを可能にする。結果として、使用者は開口の一方または両方から内容物の一部または全部を消費できる。加えて、開口は使用者が使用される開口に依存して容器からすするまたは一気に飲むことを可能にする。さらに、ストローは容器がほぼ直立した位置にあるとき使用者が飲むことを可能にする。あるいは、容器は容器から流体を注ぐために傾けられるか、または反転される。
【００２１】
別の態様は、容器の内容物への制御されたアクセスを可能にするクロージャを提供する蓋である。詳細には、クロージャは、容器の内容物が望むときにのみアクセスされるように、１つまたは複数の開口への制御されたアクセスを提供する。例えば、クロージャは、容器の内容物へのアクセスを制御するために１つまたは複数の開口を選択的に覆うまたは閉鎖する。有利には、クロージャは複数の開口を同時に覆うことができ、これは容器が迅速かつ簡単に密封されることを可能にする。クロージャは内容物が漏れるまたはこぼれることを防止するために水密シールを形成でき、これは液体および飲料の運搬を容易にし、およびエクササイズおよび／または移動などの活動の前、間または後に、容器を使用することを可能にする。
【００２２】
さらに別の態様は、開放位置と閉鎖位置との間を移動可能なクロージャを含む蓋である。クロージャは、例えば、蓋に枢着され、クロージャは開放位置と閉鎖位置との間で枢動する。詳細には、クロージャの１つの部分が蓋の第１部分に枢着され、クロージャの別の部分が蓋の第２部分に枢着される。より詳細には、クロージャの第１部分は、クロージャの開閉を容易にするアクチベータまたはハンドルを含み、クロージャのこの第１部分は蓋の第１部分に枢結される。クロージャの第２部分は、クロージャが閉鎖されているときに１つまたは複数の開口を通る流体流を阻止するようにサイズ決めされかつ構成されたカバーまたはキャップを含む。クロージャの第２部分は蓋の第２部分に枢結される。クロージ
ャの第１および第２部分は、固定された位置で蓋に枢結され、これは一貫性のある確実なシールの形成に役立つ。加えて、クロージャが閉鎖位置にあるとき、力または他の意図的な作用がクロージャを開放するために必要とされ、これはクロージャの意図しない開放を防止することに役立つ。
【００２３】
さらに別の態様は、接続部材を含む蓋である。接続部材はクロージャの第１および第２部分を接続し、接続部材はクロージャが開閉されるにつれて曲がる、畳まれる、または伸長する。接続部材はクロージャが容易にかつ滑らかに開放および／または閉鎖されることを可能にする。有意に、クロージャは相対的にわずかな力または圧力で開放または閉鎖され、これは、幅広い使用者によって容器が使用されることを可能にし、また、容器を使用できる人の数を増大することができる。例えばクロージャは、使用者が容器を片手で保持し、クロージャを開放または閉鎖するためにその手の自分の親指または他の指を使用することを可能にする。クロージャは必要に応じて２つの手によってまたは２人以上の使用者によって開放または閉鎖できることが理解されるであろう。
【００２４】
さらに別の態様は、第１回転軸に沿って蓋に回転可能に取り付けられたアクチベータを有するクロージャを含む容器の蓋である。アクチベータは第１および第２位置の間を移動可能であり、アクチベータは、第１および第２位置の間でのアクチベータの移動を容易にする、レバーまたはハンドルなどの外側に延在する部分を含む。閉鎖位置において、アクチベータはほぼ上方に延在され、および蓋の周辺または外周内に少なくとも実質的に配置される。アクチベータが開放位置にあるとき、アクチベータの少なくとも一部は蓋の周辺または外周を越えて延在し、アクチベータの別の部分（本体など）が上方におよび蓋の上側表面に対してある角度で延在する。アクチベータは蓋の外縁部または周囲の近くの固定された位置に枢動可能に配置される一方で、アクチベータはまた内側に離間されることもでき、およびアクチベータは固定された位置で蓋に枢着されなくてもよい。
【００２５】
さらなる態様は、アクチベータと、接続部材と、カバーまたはキャップとを備えたクロージャを含む容器の蓋である。例えば、アクチベータは第１回転軸に沿って蓋の第１部分に枢結され、カバーは第２回転軸に沿って蓋の第２部分に枢結される。加えて、接続部材の一端はアクチベータに取り付けられ、接続部材の他端はカバーに取り付けられる。詳細には、接続部材の一端はアクチベータに枢着され、接続部材の他端はカバーに枢着される。従って、クロージャは４つの枢動点を含み、枢動点は４つの異なる回転軸に沿って整列され、回転軸はほぼ平行な構成で配置される。加えて、４つの枢動点または回転軸の間の距離は固定または変化される。例えば、アクチベータの蓋への接続部、およびカバーの蓋への接続部の枢動点または回転軸の間の距離は固定される。アクチベータの蓋への接続部、およびアクチベータの接続部材への接続部の間の距離も固定される。さらに、カバーの蓋への接続部、およびカバーの接続部材への接続部の間の距離は固定される。接続部材のアクチベータへの接続部、および接続部材のカバーへの接続部の間の距離は変化する。
【００２６】
より詳細には、接続部材は、アクチベータが移動すると接続部材も移動し、接続部材の移動によりカバーが移動されるように、アクチベータに接続される。例えば、アクチベータが閉鎖位置から開放位置へ移動されるにつれて、力が接続部材に適用され、接続部材はカバーを開放する。アクチベータが開放位置から閉鎖位置へ移動するとき、アクチベータは力を接続部材に適用し、接続部材はカバーを閉鎖する。接続部材の移動はガイドによって少なくとも部分的に制御される。接続部材は１つまたは複数のフランジまたは突出部の間に少なくとも部分的に配置され、これらの構造は接続部材の移動を案内または制御することを補助する。本開示を検討した後、１つまたは複数の突出部、突起、ピン、開口、チャネル、溝等が同じくアクチベータ、カバーおよび／または接続部材の移動を案内または制御するために使用されることが理解されるであろう。
【００２７】
別のさらなる態様は、長さが変化可能である接続部材を含む容器の蓋である。例えば、接続部材は長さが伸長可能であり、接続部材は１つまたは複数の構造に付勢される。詳細には、接続部材は、接続部材の長さが変化することを許容する付勢または伸長可能部分を含み、付勢部分は接続部材を１つまたは複数の所望の構造に付勢する。例えば、接続部材は、プラスチックなどの弾性、曲折可能および／または柔軟性材料から構成され、それはほぼＶ字形の構成を有する付勢または伸長可能部分を含む。接続部材の長さに沿ってなど、接続部材に対して一方向に力が適用されると、伸長可能部分は接続部分の全体長さが低減されることを許容する。力が除去されるか反対方向の力が適用されると、伸長可能部分は接続部分の全体長さが増大されることを許容する。接続部材の異なる長さは、接続部材のアクチベータへの接続部と、接続部材のカバーへの接続部との間の異なる距離を構成する。加えて、接続部材は十分な固さおよび剛性を有し、それにより開放力がアクチベータに適用されアクチベータが閉鎖位置から開放位置へ移動されると、接続部材はカバーを回転させ、１つまたは複数の開口を露出させる。接続部材はまた、アクチベータが開口を覆うために閉鎖されつつあるときカバーに十分な力を提供する。有利には、アクチベータはてことしての役割を果たすため、比較的小さい力がアクチベータに適用されるが、より大きくより多量の力が接続部材によってカバーに適用される。これはクロージャが比較的簡単に開放および／または閉鎖されることを可能にする。加えて、接続部材はクロージャに適用される力の量を制御することを補助できるため、これは滑らかで比較的労力の少ないクロージャの開放および閉鎖を容易にすることが可能である。
【００２８】
さらに別のさらなる態様は、複数の枢動点を含み得るクロージャの蓋である。枢動点は、開口、アパーチャ、凹部または他の種類の受入構造内に配置される突出部、突起、ピンまたは他の種類の外側に延在する部分によって形成される。例えば、蓋は、アクチベータが蓋に枢結されることを可能にする第１の突出部の組と、カバーが蓋に枢結されることを可能にする第２の突出部の組とを含む。第１および第２の突出部の組は、平行な構成で配置され、また一定の距離だけ離間される。接続部材の一端は第３の突出部の組によってアクチベータに接続され、接続部材の他端は第４の突出部の組によってカバーに接続される。
【００２９】
別のさらなる態様は、４つの回転軸を含むクロージャの蓋である。例えば、アクチベータは第１回転軸で蓋に枢結され、カバーは第２回転軸で蓋に枢結される。接続部材は第３回転軸でアクチベータに枢結され、接続部材は第４回転軸でカバーに枢結される。従って、カバーは４つの枢動点または４つの回転軸を含む。第１および第２回転軸に間の距離が固定される一方で、第３および第４回転軸の間の距離は変化する。例えば、第３および第４回転軸の間の距離はクロージャが開閉されるにつれて増大または減少する。加えて、第１の距離が、アクチベータの蓋への接続部と、アクチベータの接続部材への接続部を分離し、第２の距離が、カバーの蓋への接続部と、カバーの接続部材への接続部を分離する。第１および第２の距離は異なるため、および／またはアクチベータおよびカバーは蓋の異なる部分に接続されるため、接続部材のアクチベータへの接続部、および接続部材のカバーへの接続部は、異なる経路に沿って移動する。例えば、接続部材のアクチベータへの接続部は蓋に対して第１の円弧または曲線に沿って移動し、接続部材のカバーへの接続部は蓋に対して第２の円弧または曲線に沿って移動する。
【００３０】
別の態様は、簡単に開閉される容器の蓋である。例えば、容器の内容物にアクセスするために使用者はアクチベータを押すかアクチベータに力を適用し、それによりクロージャは移動させられる。詳細には、アクチベータに適用される力は、アクチベータに回転軸の周りを回転させ、接続部材に力を適用させる。接続部材は続いて力をカバーに適用し、それはカバーに回転軸の周りを回転させ開放させる。同じく力はカバーを閉鎖するためにアクチベータに適用される。例えば、使用者は力をアクチベータに適用し、アクチベータは力を接続部材に適用し、これが力をカバーに適用する。具体的には、アクチベータに適用
される力は、アクチベータを回転し、対応する力を接続部材に適用する。接続部材は続いて、クロージャを閉鎖位置に回転させる力をクロージャに適用する。この構造はクロージャの開放および／または閉鎖を容易にする機械的有利性をもたらす。
【００３１】
さらに別の態様は、ハンドルを含む容器の蓋である。例えば、アクチベータの少なくとも一部がハンドルの少なくとも一部を形成する。１つの例示的実施形態において、ハンドルは、容器の保持および／またはアクチベータの使用を容易にするように成形された１つまたは複数の表面を含む。例えば、アクチベータは、使用者がアクチベータに力を適用することおよび／または容器を持ち運ぶことを可能にするようにサイズ決めされかつ構成される、窪みまたは係合部分などの湾曲表面を含む。ハンドルはまた、ループ状の構造を有することができ、アクチベータの一部はハンドルを形成することができる。本開示を考慮すると、アクチベータおよびハンドルは、例えば容器の意図される用途に依存して様々な適切な形状、サイズ、構造および構成を有し得ることが理解されるであろう。
【００３２】
さらに別の態様は、オーバセンターラッチ機構を含む容器の蓋である。オーバセンターラッチ機構は、例えば、アクチベータと、カバーと、接続部材とを含む。接続部材は、バネかバネ状の特性を有し、アクチベータおよびカバーに枢結される。アクチベータが閉鎖位置から開放位置へ移動されるとき、接続部材は、接続部材のアクチベータへの接続部と、接続部材のクロージャへの接続部との間の距離がその最小距離（その中心点と呼ばれ得る）に到達するまで、移動に抵抗する。いったんアクチベータが中心点を越えて移動すると、アクチベータはより自由に移動され、クロージャは簡単に開放する。アクチベータが開放位置から閉鎖位置へ移動されるとき、中心点に到達することを可能にする力がアクチベータに適用されなければならない。アクチベータはハンドルまたはレバーを含むため、かなりの量の力が接続部材の付勢力に打ち勝つために適用される。アクチベータが閉鎖位置の方に移動し続けるにつれて、接続部材は中心点を越えて移動し、続いてカバーが蓋の１つまたは複数の開口を閉鎖する。有利には、この位置で、接続部材はクロージャを閉鎖位置に確実に保持する。さらに、クロージャは閉鎖位置においてかなりの力を及ぼすため、流体が漏れ出ないことがある。かなりの量の力が接続部材を圧縮するのに必要とされるため、クロージャは閉鎖位置に確実に保持され、クロージャはクロージャが閉鎖位置に移動されるにつれてスナップ式に嵌まるまたはロックする。
【００３３】
さらなる態様は、プラスチック、金属、プラスチックおよび金属の組み合わせ、または適切な特徴および特性を備えた他の材料から構成される容器の蓋である。蓋はプラスチック、ガラス、金属等から作製された容器に取り付けられる。有利には、蓋は、迅速かつ効率的に製造される比較的わずかな部品から構成される。例えば、例示的実施形態において、蓋はアクチベータと、接続部材と、カバーとを備えたクロージャを含む。別の例示的実施形態において、蓋は本体と、注ぎ口と、注ぎ口の中の複数の開口とを含む。当業者であれば、本開示を検討した後、蓋はいずれかの適切な数の部品および構成要素を含むことができることを認識するであろう。当業者であれば、本開示を検討した後、蓋は、例えば容器の意図された用途に依存して他の適切な形状、サイズ、構造および構成を有することができることも認識するであろう。さらに、当業者であれば、本開示を検討した後、蓋は、例えば容器の意図される用途に依存して、いずれの適切な数の開口を含んでもよく、開口は異なる形状、サイズ、構造および構成を有することができることを認識するであろう。
【００３４】
別の態様は、容器に取り付けられるようにサイズ決めされかつ構成される蓋、および流体で満たされるようにサイズ決めされかつ構成された容器である。蓋は上側部分と下方に延在する側壁とを備えた本体と、上側部分に配置された注ぎ口と、注ぎ口の中に配置された第１開口であって、取り付けられた容器内に配置された流体に第１流体経路を提供し得る第１開口と、注ぎ口の中に配置された第２開口であって、容器内に配置された流体に第２流体経路を提供し得る第２開口とを含む。蓋はまた、第１開口と第２開口とを分離する
共通壁を有する。共通壁の第１表面が第１開口の少なくとも一部を画定し、共通壁の第２表面が第２開口の少なくとも一部を画定する。必要に応じて、第１開口、第２開口および共通壁は、それぞれ注ぎ口の中に完全に配置されてもよい。加えて、導管が第２開口に接続され、第１開口は容器の第１部分に流体経路を提供し、第２開口および導管は容器の第２部分に流体経路を提供する。蓋が容器に接続され容器が流体で満たされているとき、容器内に配置された流体は第１開口を介して注がれ、および容器内に配置された流体は導管および第２開口を介して吸い込まれる。
【００３５】
必要に応じて、第２開口は第１開口の少なくとも一部を囲む。加えて、第１開口は注ぎ口の外壁によって少なくとも部分的に画定され、第２開口は注ぎ口の外壁によって少なくとも部分的に画定される。加えて、第１開口は第２開口の少なくとも２倍のサイズであるサイズを有し、流体が第１開口を通って流れることができる速度は、流体が第２開口を通って流れることができる速度の少なくとも２倍である。
【００３６】
さらに別の態様は、蓋に接続されるクロージャであり、クロージャは第１開口および第２開口への制御されたアクセスを提供する。クロージャは、固定された位置で蓋に枢着されたアクチベータであって、外側に延在するハンドルを含むアクチベータと、固定された位置で蓋に枢着されたカバーであって、アクチベータの蓋への枢着部は、カバーの蓋への枢着部から固定された距離だけ離間され、カバーは、第１開口および第２開口が開放される開放位置と、第１開口および第２開口が閉鎖される閉鎖位置との間で移動可能であり、接続部材はアクチベータに枢着され、かつ、カバーに枢着される。必要に応じて、カバーおよび接続部材はオーバセンターラッチ機構の少なくとも一部を形成する。加えて、アクチベータは第１回転軸の周りで蓋に枢着され、第１回転軸は蓋に対して固定された位置に配置され、カバーは第２回転軸の周りで蓋に枢着され、第２回転軸は蓋に対して固定された位置に配置され、接続部材は第３回転軸の周りでアクチベータに枢着され、第３回転軸は、カバーが開放位置と閉鎖位置との間で移動されるときに第１回転軸の周りの円弧内を移動可能であり、接続部材は第４回転軸の周りでクロージャに枢結され、第４回転軸は、カバーが開放位置と閉鎖位置との間で移動されるときに第２回転軸の周りの円弧内を移動可能である。カバーが閉鎖位置にあるとき、カバーは第１開口および第２開口を同時に閉鎖する。
【００３７】
さらに別の態様は、容器に取り付けられるようにサイズ決めされかつ構成される蓋であり、容器は流体で満たされるようにサイズ決めされかつ構成される。蓋は、本体と、本体に配置された注ぎ口であって、外壁によって少なくとも部分的に画定された注ぎ口と、注ぎ口の中に配置され、かつ、注ぎ口の外壁によって少なくとも部分的に画定された第１開口と、注ぎ口の中に配置され、かつ、注ぎ口の外壁によって少なくとも部分的に画定された第２開口とを含む。共通壁が第１開口と第２開口との間に配置され、第１開口は取り付けられた容器内に配置された流体に第１流体経路を提供し、第２開口は容器内に配置された流体に第２流体経路を提供する。加えて、導管が第２開口に取外し可能に取り付けられる。必要に応じて、第１開口は第１流体流速度を許容するようにサイズ決めされかつ構成され、第２開口は第２流体流速度を許容するようにサイズ決めされかつ構成され、第１流体流速度は第２流体流速度の少なくとも２倍である。さらに、第２開口は第１開口の少なくとも一部を囲む。
【００３８】
なおもさらに別の態様は、蓋に結合されるクロージャであり、クロージャは第１開口および第２開口への制御されたアクセスを提供する。クロージャは、固定された位置で蓋に枢着されたアクチベータを含み、アクチベータは外側に延在するハンドルを含み、カバーは固定された位置で蓋に枢着され、アクチベータの蓋への枢着部は、カバーの蓋への枢着部から固定された距離だけ離間され、カバーは、第１開口および第２開口が開放される開放位置と、第１開口および第２開口が閉鎖される閉鎖位置との間で移動可能であり、接続
部材はアクチベータに枢着され、かつ、カバーに枢着される。必要に応じて、アクチベータ、カバーおよび接続部材はオーバセンターラッチ機構の少なくとも一部を形成する。クロージャは同じく蓋に結合され、クロージャは少なくとも１つの開口に制御されたアクセスを提供する。加えて、第１開口は取り付けられた容器内に配置された流体に第１流体経路を提供し、第２開口は容器内に配置された流体に第２流体経路を提供する。加えて、導管が第２開口に結合され、第１開口は取り付けられた容器の第１部分内に配置された流体に第１流体経路を提供し、第２開口および導管は容器の第２部分内に配置された流体に第２流体経路を提供する。さらに、導管が第２開口に結合され、第１開口は取り付けられた容器の上側部分内に配置された流体に第１流体経路を提供し、第２開口および導管は容器の下側部分内に配置された流体に第２流体経路を提供する。
【００３９】
本発明のこれらのおよび他の態様、特徴、および利点は、以下の図面の簡単な説明、図面、好ましい実施形態の詳細な記載、および添付の請求項からより詳細に明らかになる。
添付の図面は、本発明の上のおよび他の態様、利点および特徴をさらに説明し明確にするために、好ましい実施形態の図を含む。これらの図面は本発明の単に好ましい実施形態を描き、その範囲を限定することを意図しないことが認識されるであろう。加えて、図面は本発明の好ましいサイズ、スケール、関係性および構造を示し得るが、図面は、特許請求される本発明の範囲を限定することを意図しないことが理解されるであろう。本発明は添付の図面の使用を通して追加の特異性および詳細に関して記載され説明される。
【図面の簡単な説明】
【００４０】
【図１】例示的な容器および蓋の正面上側斜視図であり、蓋を閉鎖位置で示す。
【図２】図１に示される容器および蓋の分解された上側斜視図である。
【図３】図１に示される蓋の一部の拡大された正面上側斜視図である。
【図４】図１に示される蓋の一部の拡大された背面上側斜視図である。
【図５】図１に示される蓋の一部の別の拡大された背面上側斜視図である。
【図６】図１に示される蓋の一部の拡大された下側斜視図である。
【図７】図１に示される蓋の一部の拡大かつ分解された下側斜視図であり、例示的なストローを示す。
【図８】図７に示される蓋およびストローの下側斜視図であり、蓋に接続されたストローを示す。
【図９】図３の線９−９に沿って示された蓋の一部の拡大断面側面図である。
【図１０】図３の線９−９に沿って示された蓋の一部の拡大断面側面図であり、蓋に接続されたストローを示す。
【図１１】別の例示的な容器および蓋の正面上側斜視図である。
【図１２】図１１に示される容器および蓋の分解された正面上側斜視図である。
【図１３】図１１に示される蓋の正面上側斜視図である。
【図１４】図１１に示される蓋の背面上側斜視図である。
【図１５】図１１に示される蓋の別の背面上側斜視図である。
【図１６】図１１に示される蓋の下側斜視図である。
【図１７】図１１に示される蓋の分解された下側斜視図であり、例示的なストローを示す。
【図１８】図１７に示される蓋およびストローの下側斜視図であり、蓋に取り付けられたストローを示す。
【図１９】さらに別の例示的な容器および蓋の正面上側斜視図であり、蓋を閉鎖位置で示す。
【図２０】図１９に示される容器および蓋の別の正面上側斜視図であり、蓋を開放位置で示す。
【図２１】図１９に示される蓋および容器の背面上側斜視図であり、蓋を開放位置で示す。
【図２２】図１９に示される容器および蓋の分解された正面上側斜視図である。
【図２３】図１９に示される容器および蓋の別の分解された正面上側斜視図である。
【図２４Ａ】図２１に示される蓋の一部の拡大された上側斜視図であり、例示的なアクチベータを示す。
【図２４Ｂ】図２４Ａに示されるアクチベータの下側斜視図である。
【図２５Ａ】図２１に示される蓋の一部の拡大された上側斜視図であり、例示的な接続部材を示す。
【図２５Ｂ】図２５Ａに示される接続部材の下側斜視図である。
【図２６Ａ】図２１に示される蓋の一部の拡大された正面上側斜視図であり、例示的なカバーを示す。
【図２６Ｂ】図２６Ａに示されるカバーの下側背面斜視図である。
【図２６Ｃ】図２６Ａに示されるカバーの上側背面斜視図である。
【図２７Ａ】図２１に示される蓋の一部の拡大された上側斜視図であり、例示的なガスケットを示す。
【図２７Ｂ】図２７Ａに示されるガスケットの下側斜視図である。
【発明を実施するための形態】
【００４１】
本発明は概して容器の蓋を対象とする。しかしながら、本発明の原理は容器の蓋に限定されない。本開示を考慮すると、本明細書に開示される蓋および容器は、様々な形状、サイズ、構造および構成を有してもよいことが理解される。蓋および容器は特徴、構成要素、態様等のいずれの適切な数および組み合わせを含んでもよいことが同じく理解される。加えて、添付図面に示される蓋および容器は特定の様式または構造を有するように示されるが、蓋および容器はいずれの適切な様式または構造を有してもよいことが認識されるであろう。さらに、本明細書に開示される蓋および容器は、他の種類の目的および装置に関連して問題なく使用することができる。
【００４２】
加えて、蓋および容器の様々な例示的実施形態の記載に役立つために、上、底、前、後、側、右および左などの語が、添付図面を記載するために使用される。添付図面は、必ずではないが、原寸に比例して描かれている場合がある。蓋および容器は様々な所望の位置または向きで配置可能であり、また、多数の場所、環境および構成で使用できることはさらに認識されるであろう。
【００４３】
添付図面は様々な例示的な蓋および容器を示し、蓋および容器は独立しておよび／または組み合わせて使用可能である。従って、蓋システムまたは蓋および容器システムなどの表現は、蓋、容器または蓋および容器を指すために使用可能である。加えて、蓋システムは様々な特徴および態様を含むように記載され得る一方、蓋システムは特徴および／または態様のいかなる所望の数および組合せを含んでもよい。
【００４４】
要約すると、蓋システムは、容器に選択的に取り付けることができる蓋を含み、蓋は、容器の内容物へのアクセスを提供する１つまたは複数の開口を含む。例えば、蓋は、容器の内容物が注がれるまたは迅速に分配されることを許容する１つの開口と、使用者がストローを通して容器から流体をすすることを許容する別の開口とを含む。２つの開口は互いに近くにまたは隣接して配置可能であり、開口は共通の壁によって分離可能である。開口は、流体を分配することができる異なる流体経路および／または異なる通路を提供する。蓋はまたクロージャを含む。例えば、クロージャが閉鎖位置にあるとき、流体は１つまたは複数の開口を通って流れることができない。他方、クロージャが開放位置にあるとき、流体は１つまたは複数の開口を通って流れることができる。クロージャは蓋に枢着することができ、また、クロージャは、クロージャが便利におよび簡単に開閉されることを許容するアクチベータおよび／またはハンドルを含む。蓋および容器システムの例示的実施形態の詳細な記載が以下に続く。
【００４５】
ここで留意すべきは、複数の例示的実施形態が以下で詳細に開示され記載されることである。読み手の読み易さおよび便益のために、同じ参照番号が、異なる実施形態の同様の部品、構成要素および特徴に関連して使用される場合がある。異なる実施形態は異なる部品、構成要素、特徴および態様を有し、これらの異なる部品、構成要素、特徴および態様は必要とされないことがあることが理解される。さらに、異なるシステムは、例えばシステムの意図される用途に依存して、これらの部品、構成要素、特徴および態様の様々な組合せを含み得ることが理解される。
【００４６】
図１に示されるように、蓋システム１０の例示的実施形態は、容器１２および蓋１４を含み得る。容器１２は、例えば蓋システム１０の意図される用途に依存して、異なる形状、サイズ、構造および構成を有する。容器１２はプラスチック、ガラス、金属等から作製される。
【００４７】
容器１２は、１種または複数種の液体および／または固体を保持、保留および／または貯蔵するようにサイズ決めされかつ構成される。詳細には、容器１２は器またはボトルであり、容器は水、風味付けされた水、ビタミン強化水等などの液体を貯蔵するために使用される。容器１２はまた、ジュース、エネルギー飲料、喉の渇きを癒す飲み物、および他の種類の飲料などの流体および溶液を貯蔵できる。容器１２はまた、粉末、濃縮物、ミックスおよび食品などの固体を貯蔵することもできる。
【００４８】
容器１２はいずれの適切なサイズのものでもあってもよい。例えば、容器１２は、およそ１６オンス（４７３．２ｍｌ）、１８オンス（５３２．３ｍｌ）、２０オンス（５９１．５ｍｌ）、２２オンス（６５０．６ｍｌ）、または２４オンス（７０９．８ｍｌ）（または約４００、５００、６００、７００、８００、９００ｍｌまたは１リットル）を保持することができる。当業者は本開示を検討した後、容器１２はより小さいおよびより大きいサイズを含むいずれかの適切なサイズを有することができることを認識するであろう。加えて、容器１２は全体的に円筒状または管状の構成を有するように添付図面に示されているが、容器は他の適切な形状および構造を有してもよい。さらに容器１２は、内容物を所望の温度で維持することを補助するために断熱されてもよい。
【００４９】
蓋１４は容器１２にキャップまたはトップを提供する。例えば、蓋１４は相対的に大きい開口を覆う場合があり、開口は容器１２が簡単に充填、清掃および洗浄されることを可能にできる。蓋１４はプラスチック、金属、プラスチックおよび金属の組み合わせも、または適切な特徴および特性を備えた他の材料から作製される。
【００５０】
蓋１４は容器１２に好ましくは取外し可能に接続される。蓋１４は、蓋１４を容器１２にねじ留めすること、スナップ式に嵌めること、ひねること、スライドすることまたはねじ込むことによって、容器に取外し可能に接続される。例えば、図２に示されるように、容器１２の上側の外側部分は、１つまたは複数のねじ山１６を含み、蓋１４の内側部分は、図６に示されるものなど、１つまたは複数の対応するねじ山１８を含む。噛み合うねじ山１６、１８により蓋１４を容器１２に選択的に取り付けることが可能になる。加えて、蓋１４の容器１２へのねじ接続は、確実な、気密式、水密式および／または漏れ止めシールを形成する。必要に応じてガスケット２０が蓋１４と容器１２との間に配置されてもよく、ガスケットは蓋と容器との間のシールの形成を補助する。ねじ接続は蓋を容器に確実に接続するために容器１２に対する蓋１４の多数の巻きを必要とするが、蓋は１つまたはそれより少ない巻きによって容器に接続されてもよいことが認識される。蓋１４はまた、例えば蓋システム１０の意図される用途に依存して、接続の他の適切な種類および構造を用いて、容器１２に接続される。
【００５１】
蓋１４は、上側部分２４と側壁２６とを有する本体２２を含み、側壁は本体から下方に延在する。蓋１４の上側部分２４は湾曲またはドーム状にされ、ねじ山１８は側壁２６の内側表面に配置される。蓋１４はまた管または突出部などの注ぎ口２８を含み、注ぎ口は蓋の上側部分２４から延在する。注ぎ口２８は流体が容器１２から放出されることを可能にする。注ぎ口２８は１つまたは複数の開口またはアパーチャを含み、複数の開口は容器１２の内容物へのアクセスを提供する。例えば、図２〜１８に示されるように、注ぎ口２８は第１開口３０および第２開口３２を含む（１つの開口を含む蓋の例示的実施形態は図１９〜２７に示され、これらは以下で詳細に考察される）。
【００５２】
第１開口３０は容器１２の内容物への直接のアクセスを提供し、容器の内容物は第１開口を介して注ぐことができる。図２〜１８に示されるように、第１開口３０は第２開口３２より大きくてもよく、それは第２開口と比較して第１開口を介した流体流のより多い量を可能にする。例えば、第１開口３０は、第２開口３２の２、３、４、５、６倍またはそれを超えるサイズであってもよい。第１開口３０は第２開口３２より小さい可能性があり、およびそれら開口は、例えば蓋システム１０の意図される用途に依存して、様々なサイズを有してもよいことが認識されるであろう。
【００５３】
第１開口３０は全体的に円筒状の構造を有し、第１開口は図３および４に示されるように注ぎ口２８の外壁３４によって少なくとも部分的に画定される。例えば、第１開口３０は実質的に円形の断面構造を有する。第２開口３２は第１開口３０の近くにおよび／または隣接して配置され、パーテーションまたは仕切りなどの壁３６がそれら開口を分離する。壁３６は、共通壁とも呼ばれるが、第１開口３０および第２開口３２の少なくとも一部を形成または画定する。従って、第１開口３０は、注ぎ口２８の外壁３４および共通壁３６によって少なくとも部分的に形成または画定され、第２開口３２は、注ぎ口および共通壁の外壁によって少なくとも部分的に形成または画定される。より詳細には、共通壁３６の第１表面３８が第１開口３０の一部を形成または画定し、共通壁の第２表面４０が第２開口３２の一部を形成または画定する。添付図面に示されるように、第２開口３２は、全体的に弧状、湾曲または円形の構造を有する。例えば、第２開口は、実質的に弧状の断面構造を有する。第２開口３２は、第１開口３０の一部を少なくとも実質的に取り囲む、包囲するまたは囲む。開口３０、３２は注ぎ口２８によって形成も画定もされる必要はなく、開口３０、３２は注ぎ口から独立可能であり、注ぎ口は必要とされないことが理解されるであろう。
【００５４】
図９および１０で最もよく見られるように、注ぎ口２８の前側部分は、上方および外方に延在する。例えば、開口３０、３２の上側部分は湾曲される。特に、第１開口３０の前側部分４２は、第１開口の後側部分４４に対して上方に湾曲される。従って、第１開口３０の前側部分４２は、第１開口の後側部分よりも概ね高く、および／またはそれと異なる面に配置される。加えて、第２開口３２の前側部分４６は、第２開口の後側部分４８に対して上方に湾曲される。従って、第２開口３２の上端部は概ね、第１開口３０の上部よりも上に配置され、蓋１４の本体２２からより遠くに離れて配置される。加えて、第１開口３０の中心部分は、第２開口３２の中心部分よりも蓋１４の本体２２の近くに配置される。さらに、第１開口３０と第２開口３２とを分離する共通壁３６の上側部分５０は前方に角度を付けられる。注ぎ口２８および／または第２開口３２の前側部分５２もまた前方に角度を付けられる。図９および１０に示されるように、共通壁３６の上側部分５０および注ぎ口２８および／または第２開口３２の前側部分５２は、約５°〜約２０°、および約１０°〜約１５°の角度で配置される。例えば、共通壁３６および第２開口３２の前側部分は、第１開口３０に対してほぼ垂直に配置される軸に対して約１０°〜約２０°の角度で配置される。必要に応じて、窪みまたは凹部５４が注ぎ口２８および／または第２開口３２の前側部分５２に形成される。凹部５４は、蓋の第２開口を通って流れる流体を消費する人の下唇を受け止めるようにサイズ決めされかつ構成された下唇受止部分を形成する
。
【００５５】
注ぎ口２８の湾曲し角度の付いた表面、第１開口３０および第２開口３２は、開口を通る流体流を促進する。例えば、上方に湾曲した表面は第２開口３２を通して流体をすするまたは吸うことを容易にする。加えて、前方に湾曲した前側部分５２は、第２開口３２を通して流体をすするまたは吸うことを容易にする。この例示的実施形態において、第２開口３２の上端部は、第１開口３０の上端部よりも概ね高くおよびそれと異なる面に配置される。湾曲したおよび／または上側表面は、蓋の第２開口を通って流れる流体を消費する使用者の上唇を受け止めるようにサイズ決めされかつ構成された上唇受止部分を形成する。有利には、この構成は、第２開口３２を通して流体をすするまたは吸うために使用者が自分の口および唇を容易にかつ便利に位置付けることを可能にする。この構成はまた、大量の流体を迅速に消費できるように流体が第１開口３０から直接使用者の口内に注がれることを可能にするために、使用者が自分の口および唇を容易にかつ便利に位置付けることも可能にする。
【００５６】
第１および第２開口３０、３２が注ぎ口２８の一部であるように示され記載される一方、本開示を検討した後、それら開口は注ぎ口の一部である必要はなく、また注ぎ口は必要とされないことが認識されるであろう。同じく、本開示を検討した後、蓋１４はいずれかの適切な数の開口（１つ、２つ、３つまたはそれを超えるなど）を含むことができ、開口は、例えば蓋システム１０の意図される用途によって、異なる形状、サイズ、構造および構成を有することができることも認識されるであろう。
【００５７】
図２、７、８および１０に示されるように、ストローなどの導管５６が、開口の１つまたは複数に関連して使用される。例えば、ストロー５６は第２開口３２に関連して使用され、ストローは容器１２から飲むことを補助する。従って、使用者は第２開口３２で吸うことによってすするまたは飲むことができ、流体はストロー５６および第２開口を通って使用者まで移動する。
【００５８】
ストロー５６は第２開口３２に選択的にまたは永久的に接続される。例えば蓋１４は、ストロー受入凹部などのストロー結合部分５８を含み、ストロー５６の端部が凹部に挿入される。ストロー５６は、容器１２の底部に向かって延在する長さを有し、ストローの下端部は容器の底部の方に配置された流体と連通する。ストロー５６およびストロー受入凹部５８は図に示されるように長円形または長尺状の構造を有する一方、ストローおよびストロー受入凹部は円形、楕円形、長方形、正方形、多角形等などの他の適切な形状、サイズ、構造および構成を有することができることが認識されるであろう。
【００５９】
第１および第２開口３０、３２は異なる流体経路を提供できる。例えば、第１開口３０は、容器１２への直接のアクセスを有する第１経路を提供し、流体は容器が傾けられるか反転されるとき第１開口を通って流れる。第１開口３０の大きいサイズは大量の流体が第１開口を通って流れることを可能にし、第１開口は容器１２の内容物が迅速に消費されるまたは注がれることを可能にする。第１開口３０はまた、容器１２が迅速に再び満たされること、補給されること、または満杯にされることを可能にする。第２開口３２および導管またはストロー５６は第２経路を提供し、第２経路内において流体は容器１２からすすられるまたは吸われる。この例示的実施形態において、流体は容器１２がほぼ直立した位置にあるとき、第２開口３２およびストロー５６を通してすすられるまたは吸われる。第１開口が容器の上側部分に流体経路を提供するために、容器内の流体が第１開口の前側部分４２に到達するようにいったん容器１２が傾けられると流体は第１開口３０を通って流れることが理解されるであろう。ストローまたは導管は容器のより低い部分に流体経路を提供するために、ストロー５６の端部が容器１２内の流体内に配置される限り流体は第２開口３２を通って流れることも理解されるであろう。従って、容器１２の位置は、流体が
第１開口３０および／または第２開口３２を通って流れることができるかどうかを決定する。
【００６０】
有利には、複数の開口３０、３２は、流体が容器１２から注がれる、すすられるまたは吸われることを可能にすることによって、向上した機能性および柔軟性を提供する。加えて複数の開口３０、３２は、容器１２が直立位置、傾斜位置および反転位置に配置されるとき、流体が放出または分配されることを可能にする。本開示を検討した後、ストロー５６はいずれかの適切な開口に接続され、またはいずれかの適切な開口に関連して使用され、ストローは必要とされないことが認識されるであろう。開口３０、３２は異なる位置、構成および配列にあってもよく、必要に応じてそれら開口は離されてもよいことがさらに認識されるであろう。
【００６１】
蓋１４はクロージャ６０を含み、クロージャ６０は選択的に閉鎖される、または注ぎ口２８および／または開口３０および開口３２などの１つまたは複数の開口を通る流体流を選択的に阻止する。クロージャ６０は蓋１４に枢結され、クロージャは一貫した信頼性のあるシールを形成する。加えて、クロージャ６０が閉鎖位置にあるとき、クロージャを開放するために力または他の意図的な作用が必要とされ、それはクロージャの意図しない開放を防止することを促進する。さらに、クロージャ６０は、閉鎖位置に移動されるとき、スナップ式に嵌まる、カチリと嵌まるおよび／またはロックしてもよく、これはクロージャが確実に閉鎖されていることを示す。
【００６２】
図２に示されるように、クロージャ６０は、アクチベータなどの第１部分６２と、カバーなどの第２部分６４とを含む。カバー６４は、注ぎ口２８、第１開口３０および／または第２開口３２の気密および／または水密なシールを形成し、これは漏れ止め容器の形成を有利に補助する。
【００６３】
アクチベータ６２はクロージャ６０の開放および／または閉鎖を容易にする。アクチベータ６２はまた、蓋システム１０の持ち運び、保持および／または運搬も容易にする。アクチベータ６２は本体６６と、外延部分、突出部、突起等などの１つまたは複数の係合部分（例示的な突出部１２２、１２４が以下で詳細に考察される）とを含み、係合部分はアクチベータ６２が蓋１４に枢動可能、移動可能または回転可能に接続されることを可能にする。例えば、図３〜６で最もよく示されるように、蓋１４の上側部分２４は、第１側壁７４、第２側壁７６および下側表面７８によって少なくとも部分的に形成または画定された凹部７２を含む。添付図面に示されるように、側壁７４、７６は下側表面７８に対してほぼ垂直に配置され、およびほぼ垂直に配置される。第１側壁７４は、第１受入部分８２を有する第１の溝またはチャネル８０を含み、第２側壁７６は第２受入部分８６を有する第２の溝またはチャネル８４を含む。第１および第２受入部分８２、８６は、開口、アパーチャ、陥凹部、窪み、戻り止め等であるが、アクチベータ６２の突出部１２２、１２４などの係合部分を受け入れるようにサイズ決めされかつ構成され、これはアクチベータが蓋１２に枢結されることを可能にする。
【００６４】
同じくカバー６４は蓋１４に枢動可能、移動可能または回転可能に接続される。例えばカバー６４は凹部７２の第１側壁７４の受入部分８８におよび凹部の第２側壁７６の受入部分９０に枢結される。詳細には、受入部分８８、９０は、突起、ピンまたは突出部などの対応する係合部分９２、９４を受け入れるようにサイズ決めされかつ構成される。受入部分８８、９０の間の距離は受入部分８２、８６の間の距離よりも短くてもよい。例えば、側壁７４、７６の一部は、内側に延在し、これは受入部分８２、８６の間の距離と比較して受入部分８８、９０の間の距離を低減する。加えて、１つまたは複数のガイド９６がクロージャ６０の整列および位置付けを容易にするために使用される。例えば、１つまたは複数のガイド９６は凹部７２の下側表面７８に配置される。ガイド９６はクロージャ６
０のカバー６４の整列および／または位置付けを補助する。本開示を検討した後、ガイド９６は他の適切な位置に配置され、ガイドは必要とされないことが認識されるであろう。
【００６５】
アクチベータ６２はハンドル９８を含み、ハンドルは図１および２に示されるようにループ状の構造を有し、ループ状の構造は、蓋システム１０の持ち運びおよび／またはシステムを他の物体に取り付ける際に役立つ。例えば、ハンドル９８はクリップまたは他の適切な接合具に取り付けられる。有利には、クリップは、バックパックまたは運搬を容易にするための別の種類の装置に取り付けられる。加えてハンドル９８は、蓋システム１０がハンドルによって保持されるとき閉鎖力がクロージャ６０に適用されるように位置付けられる。有意に、この閉鎖力はクロージャ６０を閉鎖位置に維持することを促進し、また、液密シールを維持することを促進する。さらに、蓋システム１０がハンドル９８によって保持される場合、およびクロージャ６０が開放位置にある場合、クロージャを閉鎖する傾向のある閉鎖力が適用される。
【００６６】
本開示を検討した後、クロージャ６０は他の適切な形状、サイズ、構造および構成を有することが理解されるであろう。例えば、クロージャ６０の別の例示的実施形態が図１９〜２７に示され、これは以下で詳細に考察される。クロージャ６０は図１〜２および／または１９〜２９に示されるものなど、いずれかの適切な数の部品、構成要素、特徴および態様を有してもよいことが理解されるであろう。
【００６７】
図１１〜１８は蓋システム１００の別の例示的実施形態を示す。蓋システム１００は、前に記載した蓋システム１０または以下に記載される蓋システム１１０のような１つまたは複数の態様、特徴、部品および／または構成要素を有する。加えて蓋システム１００は蓋システム１０または１１０と同様の形状、サイズ、構造および構成を有する。しかしながら蓋システム１００は追加的な部品、構成要素、特徴および態様を、または蓋システム１０または１１０に関連して示されるよりも少ない部品、構成要素、特徴および態様を含む。例えば、蓋システム１００はクロージャを含まなくてもよい。
【００６８】
蓋システム１００は、容器１２および蓋１４が異なる形状、サイズ、構造および構成を有することを示す。例えば容器１２はより円筒状の構成と、１つまたは複数の把持表面１０２とを有する。把持表面１０２は、容器１２の把持を容易にするために凹まされる、全体的に平らである、テクスチャー化される、などである。
【００６９】
蓋１４はまた、ほぼ平坦な上側表面２４を含み、および注ぎ口２８は上側表面から上方に延在する。この例示的な構造において、第１開口３０はほぼ円形の構造を有し、第２開口３２は第１開口に対して前方に突き出るまたは延在する。加えて第１開口３０の前側部分４２は、第２開口３２の前側部分４６および後側部分４８と同じ面に概ね整列および配置される。ストロー５６は第２開口３２などの開口に接続される。図１５〜１８で最もよく示されるように、ストロー５６は係合部分１０４に接続される。例えばストロー５６はほぼ円形の構造を有し、ストロー５６の端部は、係合部分１０４の形状に対応する形状を有するように変形される。図１８で見られるように、係合部分１０４はストロー５６の端部の内側に配置される。ストロー５６および係合部分１０４は他の適切な形状およびサイズを有することもできることが理解されるであろう。例えば、ストロー５６および係合部分１０４は、円形、楕円形、長方形、正方形、多角形等などの相補的な形状を有することができる。ストロー５６を係合部分１０４に挿入することもでき、およびストローは係合部分に永久的または選択的に取り付けられる。加えてストロー５６および係合部分１０４は接合具、結合部材等などの他の構造を使用して結合することができる。ストロー５６の係合部分１０４への接続はシールを形成し、これはストローを通して飲むことを容易にする。
【００７０】
蓋システム１１０の別の例示的実施形態が図１９〜２７に示されている。蓋システム１１０は、上に記載した蓋システム１０または１００のように１つまたは複数の態様、特徴、部品および／または構成要素を有する。同じく蓋システム１１０は、蓋システム１０または１００と同様の形状、サイズ、構造および構成を有する。
【００７１】
蓋システム１１０は１つまたは複数の把持表面１０２を有する容器１２を含む。関節炎状態の手を有する使用者は、容器１２を掴むために、親指を第１把持表面１０２に、および他の指を第２把持表面に置くことがより簡単になることに気付くであろう。
【００７２】
蓋システム１１０はまた、上側部分２４、側壁２６および注ぎ口２８を有する蓋１４を含む。注ぎ口２８は他の例示的実施形態で示された二重の開口の代わりに１つの開口１１２を含む。蓋１４はいずれかの適切な数の開口を含み、開口は注ぎ口２８に関連して使用されるまたは使用されない場合があることが理解されるであろう。クロージャ６０は容器１２の内容物への制御されたアクセスを提供する。クロージャ６０は内容物が漏れないようにまたはこぼれないように注ぎ口２８および／または開口１１２と水密または気密シールを好ましくは形成する。
【００７３】
より詳細には、図２４Ａおよび２４Ｂで最もよく示されるように、クロージャ６０は本体６８およびレバー１１４を備えたアクチベータ６２を含む。レバー１１４は本体６８から外方に延在し、アクチベータ６２の移動を容易にする。レバー１１４はまた、ハンドル９８などのハンドルの少なくとも一部を形成する。レバー１１４は、使用者がアクチベータ６２に力を適用することを可能にするようにサイズ決めされかつ構成される、窪みまたは凹部１１６などの１つまたは複数の湾曲表面を含む。例えば、図１９に示されるように、レバー１１４は凹部１１６を含み、凹部はアクチベータ６２への力の適用を容易にする。詳細には、レバー１１４および／または凹部１１６に適用される力は、クロージャ６０を開放する傾向がある。
【００７４】
アクチベータ６２は蓋１４に枢結される。例えば、図２４Ａおよび２４Ｂに示されるように、アクチベータ６２はフランジ１１８、１２０の対を含み、各フランジは突出部または突起などの係合部分１２２、１２４を含み、係合部分はアクチベータが蓋１４に枢動可能、回転可能または移動可能に取り付けられることを可能にする。詳細には、アクチベータ６２は係合部分１２２、１２４をそれぞれ第１および第２側壁７４、７６の第１および第２受入部分８２、８６と結合することによって蓋１４に枢着される。係合部分１２２、１２４および受入部分８２、８６は枢動点を形成し、アクチベータ６２は枢動点と概ね整列される回転軸の周りを枢動する。アクチベータ６２はまた、第１および第２開口またはアパーチャなどの１つまたは複数の受入部分１２６、１２８を含み、これらの受入部分はフランジ１１８、１２０に形成される。
【００７５】
クロージャ６０はカバー６４も含み、上で考察したように、カバーは係合部分と凹部７２の側壁７４、７６の受入部分８８、９０とを結合することによって、蓋１４に枢着される。より詳細には、図２６Ａ〜２６Ｃで最もよく見られるように、カバー６４は本体１３０とリップ１３２とを含む。リップ１３２は本体１３０の周辺の一部の周りに配置され、リップは注ぎ口２８および／または開口１１２の周りに配置されるようにサイズ決めされかつ構成される。カバー６４はまた、フランジ１３４、１３６を含み、これらは本体１３０から外方へ延在し、フランジはリップ１３２の一部であり、および／またはリップ１３２と整列される。係合部分９２はフランジ１３４から外方へ延在し、係合部分９４はフランジ１３６から外方に延在する。係合部分９２、９４はカバー６４を蓋１４に枢結するために受入部分８８、９０に結合される。受入部分８８、９０および係合部分９２、９４は枢動点を形成し、カバー６４は枢動点と概ね整列される回転軸の周りを枢動する。カバー６４はまた、内側に延在する突出部または突起１４２、１４４などの１つまたは複数の係
合部分を含む。
【００７６】
カバー６４は追加の特徴を含み、これは注ぎ口２８および／または開口１１２のシールの形成を促進する。例えばカバー６４は下方に延在するリップ１４６またはフランジを含み、リップはカバーが閉鎖されるとき少なくとも部分的に注ぎ口２８および／または開口１１２の中に配置されるようにサイズ決めされかつ構成される。ガスケット１４８が液密シールの形成を補助するためにリップ１４６とともに使用される。例示的なガスケット１４８が図２７Ａおよび２７Ｂに示され、ガスケットは、リップ１４６の少なくとも一部を受け入れるようにサイズ決めされかつ構成された受入部分１５０と、カバー６４が閉鎖位置にあるとき、注ぎ口２８および／または開口１１２と係合するようにサイズ決めされかつ構成され得る係合部分１５２とを含む。
【００７７】
この例示的実施形態において、アクチベータ６２およびカバー６４の両方は、固定された位置で蓋１４に枢結される。加えてアクチベータ６２は第１回転軸の周りを回転し、カバー６４は第２回転軸の周りを回転する。第１および第２回転軸の間の距離は固定される、すなわち一定の距離である。
【００７８】
接続部材１５４がアクチベータ６２とカバー６４を接続し、接続部材は長さが変更可能すなわち可変である。例えば、接続部材１５４は本体１５６および付勢部分１５８を含む。付勢部分１５８は柔軟性、曲折可能、圧縮可能および／または拡張可能部分である。付勢部分１５８は接続部材１５４の端部間の距離が変化することを許容する。付勢部分１５８はまた、接続部材１５４を１つまたは複数の所望の構造に付勢する。付勢部分１５８はまたバネである、またはバネ状の品質または態様を有する。添付図面に示されるように、接続部材１５４はプラスチックなどの弾性、曲折可能、展性、柔軟性および／または弾力性材料から構成され、付勢部分１５８はほぼＶ字形の構造を有する。力が接続部材１５４に対して、接続部材の長さに沿ってなど一方向に適用されるとき、付勢部分１５８は接続部材の長さ全体が増大されることを許容する。力が除去されるとき、または反対方向の力が適用されるとき、付勢部分１５８は接続部材１５４の長さ全体が低減されることを許容する。付勢部分１５８は接続部材１５４の長さが増大または低減されることを許容するために弾性的に変形し、付勢部分は接続部材を特別な長さまたは構造に付勢するようにサイズ決めされかつ構成される。
【００７９】
接続部材１５４は、アクチベータ６２に接続され得る第１端部１６０を含む。例えば、第１端部１６０は、アクチベータ６２の受入部分１２６、１２８内に配置されるようにサイズ決めされかつ構成される、突出部などの係合部分１６２、１６４を含む。受入部分１２６、１２８および係合部分１６２、１６４は、接続部材１５４がアクチベータ６２に枢結されることを許容する。この枢動接続は枢動点を提供し、接続部材１５４はアクチベータ６２に対して回転軸の周りを回転する。接続部材１５４はまた、カバー６４に接続される第２端部１６６を含む。第２端部１６６は、カバー６４の係合部分１４２、１４４を受け入れるようにサイズ決めされかつ構成された、開口またはアパーチャなどの受入部分１６８、１７０を含み、これは接続部材１５４がカバーに枢結されることを許容する。この枢動接続は枢動点を提供し、接続部材１５４はカバー６４に対して回転軸の周りを回転する。接続部材１５４はまた、必要に応じて切欠きまたはノッチ１７２を含むことができる。ノッチ１７２は、係合部分１４２、１４４が受入部分１６８、１７０に挿入できるように接続部材１５４の第２端部１６６が両側から押し潰されることを許容することによって組立てを容易にする。
【００８０】
接続部材１５４の長さは変化可能であするため、接続部材とアクチベータ６２の接続点、および接続部材とカバー６４の接続点との間の異なる距離を構成できる。加えて、接続部材１５４は十分な固さおよび剛性を有できるため、開放力がアクチベータ６２に適用さ
れアクチベータが閉鎖位置から開放位置へ移動されるとき、接続部材によりカバー６４は回転され、注ぎ口２８および／または１つまたは複数の開口（開口３０、３２または１１２など）の端部を露出させる。接続部材１５４はまた、アクチベータ６２が閉鎖されるときカバー６４を閉鎖させる。
【００８１】
より詳細には、アクチベータ６２が移動されると、接続部材１５４およびカバー６４も移動する。例えば、ある力によりアクチベータ６２はアクチベータと蓋１４の枢動接続の周りで回転され、このアクチベータの移動が接続部材１５４に力を適用する。詳細には、アクチベータ６２を閉鎖位置から開放位置へ移動する力により接続部材１５４は注ぎ口２８および／または開口３０、３２、１１２から移動させられ、接続部材は、カバーを閉鎖位置から開放位置へ回転させる力をカバー６４に適用する。他方、アクチベータ６２を開放位置から閉鎖位置へ移動する力により接続部材１５４は注ぎ口２８および／または開口３０、３２、１１２の方へ移動させられ、接続部材は、カバーを開放位置から閉鎖位置へ回転させる力をカバー６４に適用する。
【００８２】
クロージャ６０は４つの枢動点を有する。例えば第１枢動点はアクチベータ６２が蓋１４に接続されるところに配置され、第２枢動点はカバー６４が蓋に接続されるところに配置され、第３枢動点は接続部材１５４がアクチベータに接続されるところに配置され、第４枢動点はカバーがアクチベータに接続されるときに配置される。クロージャ６０はまたクロージャが移動されるとき４つの異なる回転軸の周りを回転する。例えば、アクチベータ６２は蓋１４に対して第１回転軸の周りを回転し、カバー６４は蓋に対して第２回転軸の周りを回転し、接続部材１５４はアクチベータに対して第３回転軸の周りを回転し、接続部材はカバーに対して第４回転軸の周りを回転する。従ってクロージャ６０は４つの枢動点および／または４つの回転軸を含む。
【００８３】
第１および第２枢動点または回転軸は固定された位置に配置され、第３および第４枢動点または回転軸はクロージャ６０が移動されるときに蓋１４に対して移動する。第３および第４枢動点または回転軸はクロージャ６０が開放位置と閉鎖位置との間を移動されるときに円弧または曲線などの経路に沿って移動する。従って第１および第２枢動点または回転軸は蓋１４に対して固定された位置に配置され、また、固定された距離だけ分離され、第３および第４枢動点または回転軸は蓋に対して固定された位置に配置される必要はなく、またはほぼ一定の距離で分離される必要もない。例えば、第３および第４枢動点または回転軸の間の距離はクロージャ６０が開放または閉鎖されるにつれて増大または減少する。
【００８４】
クロージャ６０は、オーバセンターラッチ機構である。詳細には、アクチベータ６２、カバー６４および接続部材１５４は、オーバセンターラッチ機構を形成し、オーバセンターラッチ機構は、カバー６４を閉鎖位置に維持し、およびカバーを開放するためにかなりの量の力を必要とする。例えば、接続部材１５４はカバー６４を閉鎖位置に維持する力を提供し、アクチベータ６２に適用された力は閉鎖力を克服するために使用される。有利には、アクチベータ６２はてことしての役割を果たすため、アクチベータはかなりより大きい閉鎖力を克服するために使用される。力の最大量が必要とされるのは、接続部材１５４とアクチベータ６２の接続点と、接続部材とカバー６４の接続点との間の距離が最小のときであり、これはラッチ機構の中心点と呼ばれる。いったんアクチベータ６２が中心点を越えて移動または回転されると、クロージャ６０はより簡単に開放される。アクチベータ６２が開放位置から閉鎖位置へ移動されるとき、アクチベータが中心点を越えて移動または回転することを許容する十分な力が適用されなければならない。有意に、オーバセンターラッチ機構によりカバー６４は適所にスナップ式に嵌められ、またはロックされ、これはカバーを閉鎖位置に確実に維持する。
【００８５】
いくつかの実施形態において、ブレンダーボール（ＢＬＥＮＤＥＲ  ＢＡＬＬ）（登録商標）（これはブレンダーボトル（ＢｌｅｎｄｅｒＢｏｔｔｌｅ）Ｃｏ．の登録商標である）などの混合装置１８０が、容器１２の内容物を混合するために使用される。例えば、混合装置１８０は、１種または複数種の液体を混合するために使用される。混合装置１８０はまた、液体と、サプリメント、ビタミン、プロテイン粉末、および／または他の種類の物質などの固体とを混合するために使用される。さらに、蓋システム１０、１００および／または１１０はシェイカーカップであり、その内容物を必要に応じて撹拌または混合することができる。これによりプロテイン飲料、シェイク、スムージ、ソース等を容器１２内で作成することが可能になる。
【００８６】
当業者は、本開示を検討した後、システム１０、１００、１１０、容器１２、蓋１４および様々な部品および構成要素が、参照により全体が本明細書に組み込まれる米国特許第８，６９５，８３０号明細書に示されるものなど、他の適切な形状、サイズ、構造および構成を有してもよいことを認識するであろう。
【００８７】
操作中、クロージャ６０を開放するために力がアクチベータ６２に適用される。これは流体が開口１１２などの開口を介して注がれることを可能にする。蓋１４が開口３０、３２など２つの開口を含む場合、使用者は、１つの開口を介して容器１２から流体を注ぎ、第２の開口から流体をすするまたは吸うことができる。クロージャ６０を閉鎖することが望まれる場合、力がアクチベータ６２に適用され、これはカバー６４に開口３０、３２、１１２などの１つまたは複数の開口を封じさせる。有利には、システム１０、１００、１１０は、簡単かつ便利に使用され、操作が単純であり、およびわずかな部品を有し、これはシステムの製造および組立てを容易にする。
【００８８】
本発明を特定の好ましい実施形態に関して記載してきたが、当業者に明らかな他の実施形態もまた本発明の範囲内にある。従って本発明の範囲は、以下に続く請求項によってのみ定義されることが意図される。
【図１】
2019163088.tif 000003
【図２】
2019163088.tif 000004
【図３】
2019163088.tif 000005
【図４】
2019163088.tif 000006
【図５】
2019163088.tif 000007
【図６】
2019163088.tif 000008
【図７】
2019163088.tif 000009
【図８】
2019163088.tif 000010
【図９】
2019163088.tif 000011
【図１０】
2019163088.tif 000012
【図１１】
2019163088.tif 000013
【図１２】
2019163088.tif 000014
【図１３】
2019163088.tif 000015
【図１４】
2019163088.tif 000016
【図１５】
2019163088.tif 000017
【図１６】
2019163088.tif 000018
【図１７】
2019163088.tif 000019
【図１８】
2019163088.tif 000020
【図１９】
2019163088.tif 000021
【図２０】
2019163088.tif 000022
【図２１】
2019163088.tif 000023
【図２２】
2019163088.tif 000024
【図２３】
2019163088.tif 000025
【図２４Ａ】
2019163088.tif 000026
【図２４Ｂ】
2019163088.tif 000027
【図２５Ａ】
2019163088.tif 000028
【図２５Ｂ】
2019163088.tif 000029
【図２６Ａ】
2019163088.tif 000030
【図２６Ｂ】
2019163088.tif 000031
【図２６Ｃ】
2019163088.tif 000032
【図２７Ａ】
2019163088.tif 000033
【図２７Ｂ】
2019163088.tif 000034